【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
外気と熱交換した冷媒を送出する空気熱交換器と、前記空気熱交換器から送出された冷媒と水とを熱交換させて前記水を冷却する水熱交換器と、前記冷媒を圧縮し前記圧縮された冷媒を送出するコンプレッサと、前記コンプレッサから送出された冷媒を前記空気熱交換器に送出する第１冷媒管と、前記コンプレッサと前記水熱交換器との間の第２冷媒管と、を備えるチリングユニットのための制御装置であって、
前記第２冷媒管における冷媒の圧力を検出する第一の圧力センサと、
前記第１冷媒管における冷媒の圧力を検出する第二の圧力センサと、
前記水熱交換器を用いて前記水を冷却する冷却サイクルの運転をさせるときに、前記第二の圧力センサが検出する冷媒の圧力から前記第一の圧力センサが検出する冷媒の圧力を減じることにより得られる差圧を、前記冷媒が循環しかつ前記水が凍結しない所定の差圧以上の状態に制御し、外気温度が前記水を凝固点以下の温度とする外気温度であるとき、前記チリングユニットに前記冷却サイクルの運転を開始させる前に、前記チリングユニットに前記冷却サイクルの逆サイクルの運転をさせ、前記第二の圧力センサが検出する冷媒の圧力から前記第一の圧力センサが検出する冷媒の圧力を減じることにより得られる差圧が、前記チリングユニットが平衡状態に至った場合の前記冷媒の循環流量と同程度の循環流量の前記冷媒を流すことができる所定範囲の前記差圧となるタイミングに、前記冷却サイクルの逆サイクルの運転から前記冷却サイクルの運転に切り替える制御部と、
を備える制御装置。
【請求項２】
前記チリングユニットが空気熱交換器、水熱交換器及びコンプレッサを複数組備える場合、
前記制御部は、前記複数組のそれぞれに対して異なるタイミングで前記冷却サイクルの逆サイクルの運転から前記冷却サイクルの運転に切り替える、
請求項１に記載の制御装置。
【請求項３】
外気と熱交換した冷媒を送出する空気熱交換器と、前記空気熱交換器から送出された冷媒と水とを熱交換させて前記水を冷却する水熱交換器と、前記冷媒を圧縮し前記圧縮された冷媒を送出するコンプレッサと、前記コンプレッサから送出された冷媒を前記空気熱交換器に送出する第１冷媒管と、前記コンプレッサと前記水熱交換器との間の第２冷媒管と、を備えるチリングユニットのための制御装置の制御方法であって、
前記第２冷媒管における冷媒の圧力を検出することと、
前記第１冷媒管における冷媒の圧力を検出することと、
前記水熱交換器を用いて前記水を冷却する冷却サイクルの運転をさせるときに、前記第二の圧力センサが検出する冷媒の圧力から前記第一の圧力センサが検出する冷媒の圧力を減じることにより得られる差圧を、前記冷媒が循環しかつ前記水が凍結しない所定の差圧以上の状態に制御し、外機温度が前記水を凝固点以下の温度とする外気温度であるとき、前記チリングユニットに前記冷却サイクルの運転を開始させる前に、前記チリングユニットに前記冷却サイクルの逆サイクルの運転をさせることと、
前記第二の圧力センサが検出する冷媒の圧力から前記第一の圧力センサが検出する冷媒の圧力を減じることにより得られる差圧が、前記チリングユニットが平衡状態に至った場合の前記冷媒の循環流量と同程度の循環流量の前記冷媒を流すことができる所定範囲の前記差圧となるタイミングに、前記冷却サイクルの逆サイクルの運転から前記冷却サイクルの運転に切り替えることと、
を含む制御方法。
【請求項４】
外気と熱交換した冷媒を送出する空気熱交換器と、前記空気熱交換器から送出された冷媒と水とを熱交換させて前記水を冷却する前記水熱交換器と、前記冷媒を圧縮し前記圧縮された冷媒を送出するコンプレッサと、前記コンプレッサから送出された冷媒を前記空気熱交換器に送出する第１冷媒管と、前記コンプレッサと前記水熱交換器との間の第２冷媒管と、を備えるチリングユニットのためのコンピュータに、
前記第２冷媒管における冷媒の圧力を検出することと、
前記第１冷媒管における冷媒の圧力を検出することと、
前記水熱交換器を用いて前記水を冷却する冷却サイクルの運転をさせるときに、前記第二の圧力センサが検出する冷媒の圧力から前記第一の圧力センサが検出する冷媒の圧力を減じることにより得られる差圧を、前記冷媒が循環しかつ前記水が凍結しない所定の差圧以上の状態に制御し、外気温度が前記水を凝固点以下の温度とする外気温度であるとき、前記チリングユニットに前記冷却サイクルの運転を開始させる前に、前記チリングユニットに前記冷却サイクルの逆サイクルの運転をさせることと、
前記第二の圧力センサが検出する冷媒の圧力から前記第一の圧力センサが検出する冷媒の圧力を減じることにより得られる差圧が、前記チリングユニットが平衡状態に至った場合の前記冷媒の循環流量と同程度の循環流量の前記冷媒を流すことができる所定範囲の前記差圧となるタイミングに、前記冷却サイクルの逆サイクルの運転から前記冷却サイクルの運転に切り替えることと、
を実行させるプログラム。
【手続補正２】
【補正対象書類名】明細書
【補正対象項目名】０００６
【補正方法】変更
【補正の内容】
【０００６】
本発明の第１の態様によれば、制御装置は、外気と熱交換した冷媒を送出する空気熱交換器と、前記空気熱交換器から送出された冷媒と水とを熱交換させて前記水を冷却する水熱交換器と、前記冷媒を圧縮し前記圧縮された冷媒を送出するコンプレッサと、前記コンプレッサから送出された冷媒を前記空気熱交換器に送出する第１冷媒管と、前記コンプレッサと前記水熱交換器との間の第２冷媒管と、を備えるチリングユニットのための制御装置であって、前記第２冷媒管における冷媒の圧力を検出する第一の圧力センサと、前記第１冷媒管における冷媒の圧力を検出する第二の圧力センサと、前記水熱交換器を用いて前記水を冷却する冷却サイクルの運転をさせるときに、前記第二の圧力センサが検出する冷媒の圧力から前記第一の圧力センサが検出する冷媒の圧力を減じることにより得られる差圧を、前記冷媒が循環しかつ前記水が凍結しない所定の差圧以上の状態に制御し、外気温度が前記水を凝固点以下の温度とする外気温度であるとき、前記チリングユニットに前記冷却サイクルの運転を開始させる前に、前記チリングユニットに前記冷却サイクルの逆サイクルの運転をさせ、前記第二の圧力センサが検出する冷媒の圧力から前記第一の圧力センサが検出する冷媒の圧力を減じることにより得られる差圧が、前記チリングユニットが平衡状態に至った場合の前記冷媒の循環流量と同程度の循環流量の前記冷媒を流すことができる所定範囲の前記差圧となるタイミングに、前記冷却サイクルの逆サイクルの運転から前記冷却サイクルの運転に切り替える制御部と、を備える。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明の第２の態様によれば、第１の態様における制御装置において、前記チリングユニットが空気熱交換器、水熱交換器及びコンプレッサを複数組備える場合、前記制御部は、前記複数組のそれぞれに対して異なるタイミングで前記冷却サイクルの逆サイクルの運転から前記冷却サイクルの運転に切り替えるものであってもよい。
【手続補正５】
【補正対象書類名】明細書
【補正対象項目名】０００９
【補正方法】変更
【補正の内容】
【０００９】
本発明の第３の態様によれば、制御方法は、外気と熱交換した冷媒を送出する空気熱交換器と、前記空気熱交換器から送出された冷媒と水とを熱交換させて前記水を冷却する水熱交換器と、前記冷媒を圧縮し前記圧縮された冷媒を送出するコンプレッサと、前記コンプレッサから送出された冷媒を前記空気熱交換器に送出する第１冷媒管と、前記コンプレッサと前記水熱交換器との間の第２冷媒管と、を備えるチリングユニットのための制御装置の制御方法であって、前記第２冷媒管における冷媒の圧力を検出することと、前記第１冷媒管における冷媒の圧力を検出することと、前記水熱交換器を用いて前記水を冷却する冷却サイクルの運転をさせるときに、前記第二の圧力センサが検出する冷媒の圧力から前記第一の圧力センサが検出する冷媒の圧力を減じることにより得られる差圧を、前記冷媒が循環しかつ前記水が凍結しない所定の差圧以上の状態に制御し、外機温度が前記水を凝固点以下の温度とする外気温度であるとき、前記チリングユニットに前記冷却サイクルの運転を開始させる前に、前記チリングユニットに前記冷却サイクルの逆サイクルの運転をさせることと、前記第二の圧力センサが検出する冷媒の圧力から前記第一の圧力センサが検出する冷媒の圧力を減じることにより得られる差圧が、前記チリングユニットが平衡状態に至った場合の前記冷媒の循環流量と同程度の循環流量の前記冷媒を流すことができる所定範囲の前記差圧となるタイミングに、前記冷却サイクルの逆サイクルの運転から前記冷却サイクルの運転に切り替えることと、を含む。
【手続補正６】
【補正対象書類名】明細書
【補正対象項目名】００１０
【補正方法】変更
【補正の内容】
【００１０】
本発明の第４の態様によれば、プログラムは、外気と熱交換した冷媒を送出する空気熱交換器と、前記空気熱交換器から送出された冷媒と水とを熱交換させて前記水を冷却する前記水熱交換器と、前記冷媒を圧縮し前記圧縮された冷媒を送出するコンプレッサと、前記コンプレッサから送出された冷媒を前記空気熱交換器に送出する第１冷媒管と、前記コンプレッサと前記水熱交換器との間の第２冷媒管と、を備えるチリングユニットのためのコンピュータに、前記第２冷媒管における冷媒の圧力を検出することと、前記第１冷媒管における冷媒の圧力を検出することと、前記水熱交換器を用いて前記水を冷却する冷却サイクルの運転をさせるときに、前記第二の圧力センサが検出する冷媒の圧力から前記第一の圧力センサが検出する冷媒の圧力を減じることにより得られる差圧を、前記冷媒が循環しかつ前記水が凍結しない所定の差圧以上の状態に制御し、外気温度が前記水を凝固点以下の温度とする外気温度であるとき、前記チリングユニットに前記冷却サイクルの運転を開始させる前に、前記チリングユニットに前記冷却サイクルの逆サイクルの運転をさせることと、前記第二の圧力センサが検出する冷媒の圧力から前記第一の圧力センサが検出する冷媒の圧力を減じることにより得られる差圧が、前記チリングユニットが平衡状態に至った場合の前記冷媒の循環流量と同程度の循環流量の前記冷媒を流すことができる所定範囲の前記差圧となるタイミングに、前記冷却サイクルの逆サイクルの運転から前記冷却サイクルの運転に切り替えることと、を実行させる。